(57)【要約】      （修正有）【課題】  金融機関の自分の貯金口座から現金を引き落として、他の金融機関の口座に現金を振り込む貯金口座自動引落システムを提供する。【解決手段】  １枚のカード（以下、口座引落共通カードとする）を使用し、ユーザが所有する各金融機関の口座に関する情報を保持する銀行口座残高管理サーバが引き落とし可能な金融機関の口座の残高を確認し、指定の口座残高が不足している場合、他の口座から指定の口座にお金の移し変えて振込を行うことを金融機関に依頼することにより、ユーザが自ら他の口座から指定の口座に不足金を移管する手間を省くことができる貯金口座自動引落システムを提案することを目的としている。また、クレジットカード等の後払い決済の場合に、残高不足による未払い件数を削減できる。また、１枚のカードで複数の金融機関の残高を確認し、１つの入金処理に対し複数の口座からの引き落としが可能である。【選択図】  図１
2006113816.tif 000002
【特許請求の範囲】
【請求項１】
支払者側に設けた支払者端末と、支払者が口座を有する複数の金融機関と、支払先側に設けた支払先端末と、支払先の口座が開設された振込先金融機関と、料金の決済処理を管理する管理サーバと、前記支払者端末と前記支払先端末と前記金融機関と前記振込先金融機関と前記管理サーバとの間を接続するインターネットとを有する貯金口座自動引落システムにおいて、
前記管理サーバは、
ユーザの認証を行うカードのカード番号、及び前記ユーザを認証するユーザ認証情報を記憶する利用者管理データベースと、
前記カード番号に対応付けて複数の口座、及び前記各口座の残高を記憶する金融機関管理データベースと、
第１の送信手段によって送信された前記カード番号及び前記支払額を受信したとき、
前記金融機関管理データベースに記憶されている前記各口座の残高、又は前記各口座の残高の合計が前記支払額未満であるか否かを判断する第１の判断手段と、
前記第１の判断手段によって前記各口座の残高、又は前記各口座の残高の合計が前記支払額未満でないと判断されたとき、前記支払者端末及び前記支払先端末に前記ユーザ認証情報の入力を要求する要求手段と、
第２の送信手段によって送信された前記ユーザ認証情報及び第３の送信手段によって送信された前記ユーザ認証情報を受信したとき、受信した前記各ユーザ認証情報が前記利用者管理データベースに記憶されている前記ユーザ認証情報と一致するか否かを判断する第２の判断手段と、
前記第２の判断手段によって受信した前記各ユーザ認証情報と前記利用者管理データベースに記憶されている前記ユーザ認証情報とが一致すると判断されたとき、前記金融機関の前記各口座から振り込みできる旨を前記支払先端末に通知する第１の通知手段と、
第２の通知手段によって前記振込先金融機関の前記口座の通知を受けたとき、前記各金融機関に前記振込先金融機関の前記口座への前記支払額の振り込みを依頼する依頼手段と、
前記支払先端末は、
前記ユーザが前記カードによる支払を希望したとき、前記カードの前記カード番号を読み取り、前記カード番号及び前記ユーザに請求する前記支払額を前記管理サーバに送信する前記第１の送信手段と、
前記ユーザ認証情報の入力が要求されたとき、前記ユーザが前記ユーザ認証情報を入力する第２の入力手段と、
前記第２の入力手段によって前記ユーザ認証情報が入力されたとき、前記ユーザ認証情報を前記管理サーバに送信する前記第３の送信手段と、
前記第１の通知手段によって前記金融機関の前記各口座から振り込みできる旨の通知を受けたとき、前記振込先金融機関の前記口座を前記管理サーバに通知する前記第２の通知手段と、
前記支払者端末は、
前記ユーザ認証情報の入力が要求されたとき、支払者が前記ユーザ認証情報を入力する第１の入力手段と、
前記第１の入力手段によって前記ユーザ認証情報が入力されたとき、前記ユーザ認証情報を前記管理サーバに送信する前記第２の送信手段とを有することを特徴とする貯金口座自動引落システム。
【請求項２】
前記振込先金融機関の前記口座への前記支払額の振り込みを終えたとき、前記金融機関は、前記管理サーバに振り込みを終えた旨の通知を行う第３の通知手段と、
前記第３の通知手段によって前記振り込みを終えた旨の通知を受けたとき、前記管理サーバは、前記支払者端末及び前記支払先端末に前記振り込みを終えた旨の通知を行う第４の通知手段とを有することを特徴とする請求項１記載の貯金口座自動引落システム。
【請求項３】
前記第１の判断手段によって前記各口座の残高、又は前記各口座の残高の合計が前記支払額未満であると判断されたとき、前記支払者端末及び前記支払先端末に現金で支払うべき旨を通知することを特徴とする請求項１又は２記載の貯金口座自動引落システム。
【請求項４】
前記第２の判断手段によって受信した前記各ユーザ認証情報と前記利用者管理データベースに記憶されている前記ユーザ認証情報とが一致しないと判断されたとき、前記支払者端末及び前記支払先端末に現金で支払うべき旨を通知することを特徴とする請求項１から３のいずれか１項記載の貯金口座自動引落システム。
【請求項５】
支払者側に設けた支払者端末と、支払者が口座を有する複数の金融機関と、支払先側に設けた支払先端末と、支払先の口座が開設された振込先金融機関と、料金の決済処理を管理する管理サーバと、前記支払者端末と前記支払先端末と前記金融機関と前記振込先金融機関と前記管理サーバとの間を接続するインターネットとを有する貯金口座自動引落システムにおいて、
前記支払者端末は、
支払者を認証するカードのカード番号、前記支払者を認証するユーザ認証情報、及び振り込み先の口座に振り込むための必要な情報である支払内容情報とを前記管理サーバから受け取ったフォーマット情報に基づき入力する入力手段と、
入力した前記支払内容情報、前記カード番号、及び前記ユーザ認証情報を前記管理サーバに送信する第１の送信手段と、
前記第１の通知手段によって前記金融機関の前記各口座から振り込みできる旨の通知を受けたとき、前記支払内容情報に基づき支払いを行うことを前記管理サーバに通知する前記第２の通知手段と、
前記管理サーバは、
支払者の認証を行うカードのカード番号、及び前記ユーザを認証するユーザ認証情報を記憶する利用者管理データベースと、
前記カード番号に対応付けて複数の口座、及び前記各口座の残高を記憶する金融機関管理データベースと、
前記支払内容情報を記憶する決済管理データベースと、
前記支払者端末で前記支払内容情報、前記カード番号、及び前記ユーザ認証情報を入力するための前記フォーマット情報を準備する準備手段と、
前記支払者端末から前記支払内容情報、前記カード番号、及び前記ユーザ認証情報を受信すると、前記支払者端末から受信した前記ユーザ認証情報と前記利用者管理データベースが記憶する前記ユーザ認証情報とが一致するか否かを判断する第１の判断手段と、
前記第１の判断手段によって前記支払者端末から受信したユーザ認証情報と前記利用者管理データベースが記憶する前記ユーザ認証情報とが一致すると判断されたとき、前記金融機関管理データベースに記憶されている前記各口座の残高、又は前記各口座の残高の合計が前記支払内容情報に含まれる支払額未満であるか否かを判断する第２の判断手段と、
前記第２の判断手段によって前記金融機関管理データベースに記憶されている前記各口座の残高、又は前記各口座の残高の合計が前記支払内容情報に含まれる支払額未満でないと判断されたとき、前記金融機関の前記各口座から振り込みできる旨を前記支払先端末に通知する第１の通知手段と、
第２の通知手段によって前記支払内容情報に基づき支払いを行う通知を受けたとき、前記各金融機関に前記支払内容情報に支払いを行うことを依頼する依頼手段とを有することを特徴とする貯金口座自動引落システム。
【請求項６】
前記支払内容情報に基づき前記金融機関の前記各口座からの支払いを終えたとき、前記金融機関は、前記管理サーバに支払いを終えた旨の通知を行う第３の通知手段と、
前記第３の通知手段によって支払いを終えた旨の通知を受けたとき、前記管理サーバは、前記支払者端末及び前記支払先端末に前記支払いを終えた旨の通知を行う第４の通知手段とを有することを特徴とする請求項５記載の貯金口座自動引落システム。
【請求項７】
前記第２の判断手段によって前記金融機関管理データベースに記憶されている前記各口座の残高、又は前記各口座の残高の合計が前記支払内容情報に含まれる支払額未満であると判断されたとき、前記支払者端末に現金で支払うべき旨を通知することを特徴とする請求項５又は６記載の貯金口座自動引落システム。
【請求項８】
前記管理サーバは、所定期間ごとに前記金融機関にアクセスし、前記金融機関管理データベースに記憶された前記各口座の残高を更新することを特徴とする請求項１から７のいずれか１項記載の貯金口座自動引落システム。
【発明の詳細な説明】
【技術分野】
【０００１】
本発明は、金融機関の自分の貯金口座から現金を引き落として、他の金融機関の口座に現金を振り込む貯金口座自動引落システムに関する。
【背景技術】
【０００２】
従来、自分の貯金口座が開設してある金融機関のその貯金口座から現金を引き落として第三者の現金振込口座に現金を振り込む場合、その引き落とす自分の貯金口座の残高が、振込に必要な金額より不足する場合には引き落としができなために、その結果として振込ができなかった。
【０００３】
特許文献１では、任意の金融機関に開設してある自分の貯金口座から現金を引き落として、第三者の現金振込口座に現金を振り込む際、その引き落とす金融機関の口座の残高が振込に必要な金額より不足している場合でも、その他の任意の金融機関に開設した口座から不足している金額を引き落として指定の口座に入金できる貯金口座の現金引き落とし方式が提案されている。
【０００４】
特許文献２では、保険料の引き落とし日の所定期間前に、支払人の残高を判断し、残高が所定金額未満である場合には、不足金額を支払人に予め通知することにより、支払人は、引き落とし日前に残高が足りているか否かを知ることができ、残高が不足する場合には、引き落とし日前に入金することができる決済口座管理装置、決済口座管理方法、及びプログラムが提案されている。
【０００５】
特許文献３では、カード一枚にキャッシュカード機能と、振込券カード機能両方を備えることにより、利用者がＡＴＭで振込取引を行う場合、支払処理と同じように１枚のカードの出し入れだけで取引を行えることを可能とし、利用者のオペレーション数の低減による操作性の向上と、振込処理自体の処理速度向上を達成した自動機処理方法が提案されている。
【０００６】
特許文献４では、１枚のカードと該カードに付与された１つのオンラインＩＤの使用により、各金融機関を利用することができ、各オンラインサイトにアクセスすることができ、パスワードおよびオンラインＩＤ忘れの発生頻度を低下させ、カード紛失の頻度を低下させることのできる認証統合システムおよび認証統合方法が提案されている。
【０００７】
特許文献５では、支払者に支払情報およびクレジットカード情報（または銀行口座情報）をインターネットから入力させ、支払者が開設しているクレジット会社または金融機関に対し支払先の口座番号に振り込ませることにより、家庭からインターネットと接続できるパソコン等を利用していつでも自由に指定先の期日内に指定された金額を振り込むことができる公共料金・納税支払システムおよび支払方法が提案されている。
【特許文献１】特開２００２−２０７８８２号公報
【特許文献２】特開２００４−７８５０２号公報
【特許文献３】特開平１０−１６２１９９号公報
【特許文献４】特開２００１−３２５４３６号公報
【特許文献５】特開２００１−３５０９３０号公報
【発明の開示】
【発明が解決しようとする課題】
【０００８】
しかし、上記の発明は、以下の問題を有している。
【０００９】
特許文献１記載の貯金口座の現金引き落とし方式は、複数の金融機関に開設してある口座をオンラインで相互に接続することにより仮想的な一つの貯金口座を形成し、任意の提携金融機関の貯金口座から自由な引き落としが行われるが、ユーザの金融機関と振込先の金融機関との間に第三者機関、ユーザ等を介在せずに取引が行われるため、ユーザの意図しない貯金口座から引き落としが行われる可能性がある。
【００１０】
特許文献２記載の決済口座管理装置、決済口座管理方法、及びプログラムは、複数の決済口座からの保険料の入金を可能とすることにより、１つの決済口座の残高によって保険料を支払えない場合、他の決済口座の残高によりその不足金額を補填しているが、該決済口座は同一の金融機関の中にあり、他の金融機関に開設された口座から保険料を支払うことができない。
【００１１】
特許文献３記載の自動処理方法は、１枚のキャッシュカードで同金融機関内に開設された複数口座による取引を可能としているが、１つの入金処理について１つの口座の残高では入金額に不足金が発生した場合に、他の金融機関の口座から不足金を補填することはできない。
【００１２】
特許文献４記載の認証統合システムおよび認証統合方法は、１枚の統合カードと該統合カードに付与されたオンラインＩＤにより、複数の金融機関を利用できるが、１つの入金処理を１つの金融機関の口座では支払えない場合に、他の金融機関の口座により補填することはできない。
【００１３】
特許文献５記載の公共料金・納税支払システム及び支払方法は、家庭からインターネットと接続できるパソコン等を利用していつでも自由に指定先の期日内に指定された金額を振り込むことができるが、１つの入金処理を１つの金融機関の口座では支払えない場合に、他の金融機関の口座により補填することはできない。
【００１４】
そこで、本発明は、１枚のカード（以下、口座引落共通カードとする）を使用し、ユーザが所有する各金融機関の口座に関する情報を保持する銀行口座残高管理サーバが引き落とし可能な金融機関の口座の残高を確認し、指定の口座残高が不足している場合、他の口座から指定の口座にお金の移し変えて振込を行うことを金融機関に依頼する貯金口座自動引落システムを提案することを目的としている。
【課題を解決するための手段】
【００１５】
請求項１記載の発明は、支払者側に設けた支払者端末と、支払者が口座を有する複数の金融機関と、支払先側に設けた支払先端末と、支払先の口座が開設された振込先金融機関と、料金の決済処理を管理する管理サーバと、前記支払者端末と前記支払先端末と前記金融機関と前記振込先金融機関と前記管理サーバとの間を接続するインターネットとを有する貯金口座自動引落システムにおいて、前記管理サーバは、ユーザの認証を行うカードのカード番号、及び前記ユーザを認証するユーザ認証情報を記憶する利用者管理データベースと、前記カード番号に対応付けて複数の口座、及び前記各口座の残高を記憶する金融機関管理データベースと、第１の送信手段によって送信された前記カード番号及び前記支払額を受信したとき、前記金融機関管理データベースに記憶されている前記各口座の残高、又は前記各口座の残高の合計が前記支払額未満であるか否かを判断する第１の判断手段と、前記第１の判断手段によって前記各口座の残高、又は前記各口座の残高の合計が前記支払額未満でないと判断されたとき、前記支払者端末及び前記支払先端末に前記ユーザ認証情報の入力を要求する要求手段と、第２の送信手段によって送信された前記ユーザ認証情報及び第３の送信手段によって送信された前記ユーザ認証情報を受信したとき、受信した前記各ユーザ認証情報が前記利用者管理データベースに記憶されている前記ユーザ認証情報と一致するか否かを判断する第２の判断手段と、前記第２の判断手段によって受信した前記各ユーザ認証情報と前記利用者管理データベースに記憶されている前記ユーザ認証情報とが一致すると判断されたとき、前記金融機関の前記各口座から振り込みできる旨を前記支払先端末に通知する第１の通知手段と、第２の通知手段によって前記振込先金融機関の前記口座の通知を受けたとき、前記各金融機関に前記振込先金融機関の前記口座への前記支払額の振り込みを依頼する依頼手段と、前記支払先端末は、前記ユーザが前記カードによる支払を希望したとき、前記カードの前記カード番号を読み取り、前記カード番号及び前記ユーザに請求する前記支払額を前記管理サーバに送信する前記第１の送信手段と、前記ユーザ認証情報の入力が要求されたとき、前記ユーザが前記ユーザ認証情報を入力する第２の入力手段と、前記第２の入力手段によって前記ユーザ認証情報が入力されたとき、前記ユーザ認証情報を前記管理サーバに送信する前記第３の送信手段と、前記第１の通知手段によって前記金融機関の前記各口座から振り込みできる旨の通知を受けたとき、前記振込先金融機関の前記口座を前記管理サーバに通知する前記第２の通知手段と、前記支払者端末は、前記ユーザ認証情報の入力が要求されたとき、支払者が前記ユーザ認証情報を入力する第１の入力手段と、前記第１の入力手段によって前記ユーザ認証情報が入力されたとき、前記ユーザ認証情報を前記管理サーバに送信する前記第２の送信手段とを有することを特徴とする。
【００１６】
請求項２記載の発明は、請求項１記載の貯金口座自動引落システムにおいて、前記振込先金融機関の前記口座への前記支払額の振り込みを終えたとき、前記金融機関は、前記管理サーバに振り込みを終えた旨の通知を行う第３の通知手段と、前記第３の通知手段によって前記振り込みを終えた旨の通知を受けたとき、前記管理サーバは、前記支払者端末及び前記支払先端末に前記振り込みを終えた旨の通知を行う第４の通知手段とを有することを特徴とする。
【００１７】
請求項３記載の発明は、請求項１又は２記載の貯金口座自動引落システムにおいて、前記第１の判断手段によって前記各口座の残高、又は前記各口座の残高の合計が前記支払額未満であると判断されたとき、前記支払者端末及び前記支払先端末に現金で支払うべき旨を通知することを特徴とする。
【００１８】
請求項４記載の発明は、請求項１から３のいずれか１項記載の貯金口座自動引落システムにおいて、前記第２の判断手段によって受信した前記各ユーザ認証情報と前記利用者管理データベースに記憶されている前記ユーザ認証情報とが一致しないと判断されたとき、前記支払者端末及び前記支払先端末に現金で支払うべき旨を通知することを特徴とする。
【００１９】
請求項５記載の発明は、支払者側に設けた支払者端末と、支払者が口座を有する複数の金融機関と、支払先側に設けた支払先端末と、支払先の口座が開設された振込先金融機関と、料金の決済処理を管理する管理サーバと、前記支払者端末と前記支払先端末と前記金融機関と前記振込先金融機関と前記管理サーバとの間を接続するインターネットとを有する貯金口座自動引落システムにおいて、前記支払者端末は、支払者を認証するカードのカード番号、前記支払者を認証するユーザ認証情報、及び振り込み先の口座に振り込むための必要な情報である支払内容情報とを前記管理サーバから受け取ったフォーマット情報に基づき入力する入力手段と、入力した前記支払内容情報、前記カード番号、及び前記ユーザ認証情報を前記管理サーバに送信する第１の送信手段と、前記第１の通知手段によって前記金融機関の前記各口座から振り込みできる旨の通知を受けたとき、前記支払内容情報に基づき支払いを行うことを前記管理サーバに通知する前記第２の通知手段と、前記管理サーバは、支払者の認証を行うカードのカード番号、及び前記ユーザを認証するユーザ認証情報を記憶する利用者管理データベースと、前記カード番号に対応付けて複数の口座、及び前記各口座の残高を記憶する金融機関管理データベースと、前記支払内容情報を記憶する決済管理データベースと、前記支払者端末で前記支払内容情報、前記カード番号、及び前記ユーザ認証情報を入力するための前記フォーマット情報を準備する準備手段と、前記支払者端末から前記支払内容情報、前記カード番号、及び前記ユーザ認証情報を受信すると、前記支払者端末から受信した前記ユーザ認証情報と前記利用者管理データベースが記憶する前記ユーザ認証情報とが一致するか否かを判断する第１の判断手段と、前記第１の判断手段によって前記支払者端末から受信したユーザ認証情報と前記利用者管理データベースが記憶する前記ユーザ認証情報とが一致すると判断されたとき、前記金融機関管理データベースに記憶されている前記各口座の残高、又は前記各口座の残高の合計が前記支払内容情報に含まれる支払額未満であるか否かを判断する第２の判断手段と、前記第２の判断手段によって前記金融機関管理データベースに記憶されている前記各口座の残高、又は前記各口座の残高の合計が前記支払内容情報に含まれる支払額未満でないと判断されたとき、前記金融機関の前記各口座から振り込みできる旨を前記支払先端末に通知する第１の通知手段と、第２の通知手段によって前記支払内容情報に基づき支払いを行う通知を受けたとき、前記各金融機関に前記支払内容情報に支払いを行うことを依頼する依頼手段とを有することを特徴とする。
【００２０】
請求項６記載の発明は、請求項５記載の貯金口座自動引落システムにおいて、前記支払内容情報に基づき前記金融機関の前記各口座からの支払いを終えたとき、前記金融機関は、前記管理サーバに支払いを終えた旨の通知を行う第３の通知手段と、前記第３の通知手段によって支払いを終えた旨の通知を受けたとき、前記管理サーバは、前記支払者端末及び前記支払先端末に前記支払いを終えた旨の通知を行う第４の通知手段とを有することを特徴とする。
【００２１】
請求項７記載の発明は、請求項５又は６記載の貯金自動引落システムにおいて、前記第２の判断手段によって前記金融機関管理データベースに記憶されている前記各口座の残高、又は前記各口座の残高の合計が前記支払内容情報に含まれる支払額未満であると判断されたとき、前記支払者端末に現金で支払うべき旨を通知することを特徴とする。
【００２２】
請求項８記載の発明は、請求項１から７のいずれか１項記載の貯金口座自動引落システムにおいて、前記管理サーバは、所定期間ごとに前記金融機関にアクセスし、前記金融機関管理データベースに記憶された前記各口座の残高を更新することを特徴とする。
【発明の効果】
【００２３】
本発明は、１枚のカード（以下、口座引落共通カードとする）を使用し、ユーザが所有する各金融機関の口座に関する情報を保持する銀行口座残高管理サーバが引き落とし可能な金融機関の口座の残高を確認し、指定の口座残高が不足している場合、他の口座から指定の口座に不足金を移管して振込を行うことを金融機関に依頼することにより、ユーザが自ら他の口座から指定の口座に不足金を移管する手間を省くことができる貯金口座自動引落システムを提案することを目的としている。また、クレジットカード等の後払い決済の場合に、残高不足による未払い件数を削減できる。また、１枚のカードで複数の金融機関の残高を確認し、１つの入金処理に対し複数の口座からの引き落としが可能である。さらに、お金の取引に際し、事前に登録しているユーザの携帯電話に確認通知を送る事によりカードの不正使用を防止できる。
【発明を実施するための最良の形態】
【００２４】
本発明は、１枚のカード（以下、口座引落共通カードとする）を使用し、ユーザが所有する各金融機関の口座に関する情報を保持する銀行口座残高管理サーバが引き落とし可能な金融機関の口座の残高を確認し、指定の口座の残高が不足している場合、他の口座から指定の口座に不足金を移管して振込を行うことを金融機関に依頼する。
【実施例】
【００２５】
図１を用い本発明の一実施形態に係る貯金口座自動引き落としシステムについて説明する。本実施形態に係る貯金口座自動引落システムは、支払先端末装置１０、銀行口座残高管理サーバ２０、支払者端末／携帯電話端末３０、金融機関（４０、５０）、振込依頼先金融６０で構成されており各々インターネット１００を介して接続されている。
【００２６】
支払先端末装置１０は、パソコン等の情報処理端末であり、ユーザが買い物等をした店舗等に設置される。支払先端末装置１０は、インターネット１００を介してユーザのカード等を利用した買い物の支払金額に関する情報を銀行口座残高管理サーバ２０に送る。そして、同サーバからの回答に基づき、ユーザを認証するためのユーザ認証情報及び支払金額を振り込む振込先金融機関６０（ユーザが買い物等をした店舗等が口座を所有する金融機関）の口座に関する振込み情報を提供する。
【００２７】
銀行口座残高管理サーバ２０は、ユーザが所有する複数の金融機関の口座に関する情報を管理する情報処理装置である。銀行口座残高管理サーバ２０は、支払先端末装置１０から支払の要求を受けると、ユーザが事前に登録した各金融機関のインターネットバンキングの機能を利用し各口座の残高を確認する。次に、引き落とし可能な金融機関（４０、５０）を決定し、支払先端末装置１０及び支払者端末／携帯電話端末３０に対し、事前登録情報に基づいたユーザを認証するためのユーザ認証情報の入力要求を送信する。支払先端末装置１０及び支払者端末／携帯電話端末３０から該情報を受信すると金融機関（４０、５０）に対して振込依頼先機関６０への自動振り込みの手続きを行う。なお、支払先端末装置１０及び支払者端末／携帯電話端末３０から一定時間内にユーザ認証情報の返信がない場合、支払先端末装置１０から取り消し要求があるまで、ユーザ認証情報の入力を繰り返し要求する。
【００２８】
支払者端末／携帯電話端末３０は、ユーザが所有する携帯電話やパソコンである。銀行口座残高管理サーバ２０からの支払い要求に基づき、ユーザ認証情報、振込み情報、支払金額を引き落とす口座、支払金額等の情報を銀行口座残高管理サーバ２０へ返信する。
【００２９】
金融機関（４０、５０）は、ユーザが口座を所有する金融機関である。振込依頼先金融６０は、ユーザが買い物等をした店舗等が口座を所有する金融機関である。
【００３０】
尚、クレジットカード／ローン等の支払いについて、支払者端末／携帯電話端末３０から銀行口座残高管理サーバ２０へ引き落とし要求が有った場合、銀行口座残高管理サーバ２０は、金融機関（４０、５０）の口座残高を自動的に確認する。そして、引き落としが可能な口座の情報が支払者端末／携帯電話端末３０に返信される。支払者端末／携帯電話端末３０は、振込依頼先金融６０に関する振込み情報及び支払金額を引き落とす口座（以下、指定口座とする）を銀行口座残高管理サーバ２０に返信する。そして、銀行口座残高管理サーバ２０は、金融機関（４０、５０）に通知の上、指定口座からの引き落とし処理を実施する。ローン返済のように毎月の支払い額が変わる場合、ユーザは、毎月、各クレジットカード会社、ローン会社等からの支払の要求に関する情報をインターネット又は郵送で入手し、その支払い合計を支払者端末／携帯電話端末３０から決済管理ＤＢ２０３に登録する必要がある。
【００３１】
次にクレジットカード及びローンの支払の具体的な処理について説明する。
【００３２】
クレジットカードによる買い物の支払いを行う場合、ユーザは、支払者端末／携帯電話端末３０から貯金口座自動引落システムを利用するためのカードのカード番号、ユーザが口座を所有する金融機関（４０、５０）を示す情報（金融機関番号）、指定口座の口座番号、クレジットカード番号等を金融機関管理ＤＢ２０３に登録する（図６及び１８に示す）。さらに、カード番号、クレジットカード番号、クレジット可能額、決算日、支払金額、警告日数等を決済情報管理ＤＢ２０４に登録する（図７に示す）。なお、毎月の支払額は、各クレジットカード会社から送られてくる情報（例えば、クレジットカード会社からインターネット１００を介して受け取った情報）をユーザが登録する。ローンの支払の場合は、決済日に加えて月毎の支払金額情報を事前に決済情報管理ＤＢ２０４に登録する（図７に示す）。銀行口座残高管理サーバ２０は、決済情報管理ＤＢ２０４に登録されている警告日（決済日の数日前であり、日数に関しては利用者が自由に変更できる）になると、金融機関管理ＤＢ２０３に登録されている残高を確認する。ここで、残高がクレジットカードによる買い物に対する支払金額又はローンの支払金額に満たない場合、銀行口座残高管理サーバ２０は、他の金融機関（４０、５０）から指定口座への不足金の移管の手続きを行う。そして、決済日に正常に引き落としが行われた場合、銀行口座残高管理サーバ２０は、その情報を支払者端末／携帯電話端末３０に対して通知する。仮に、他の金融機関（４０、５０）の残高を指定口座へ移管しても支払金額を引き落とすことができない場合、銀行口座残高管理サーバ２０は、支払者端末／携帯電話端末３０に対して残高不足がある旨及び利用者自身で入金することを通知する。
【００３３】
次に、図２を用い、金融機関残高管理サーバ２０のシステムの構成について説明する。
【００３４】
金融機関残高管理サーバ２０は、利用者管理ＤＢ２０２、金融機関管理ＤＢ２０３、及び決済管理ＤＢ２０４を有している。
【００３５】
利用者管理ＤＢ２０２は、本システムを利用するためのカードに記録されたカード番号、及びユーザを認証するためのユーザ認証情報（パスワード等）を保持している（図５に示す）。
【００３６】
金融機関管理ＤＢ２０３は、ユーザが所有する金融機関（４０、５０）の口座に関する情報等を保持している（図６に示す）。ユーザは、自身の支払者端末／携帯電話端末３０を利用して銀行口座残高管理サーバ２０にアクセスし、利用者管理ＤＢ２０２や金融機関管理ＤＢ２０３に保持されている自身が所有する金融機関（４０、５０）の口座等に関する情報を登録・更新することができる。なお、登録／更新の際、ユーザ名／パスワードによるユーザの認証処理が行われる。また、残高は、各金融機関（４０、５０）から提供されているオンラインサービスにより自動的に更新される。
【００３７】
決済管理ＤＢ２０４は、当日の決済処理と指定日付の決済処理に関する情報を保持している（図７に示す）。銀行口座残高管理サーバ２０は、決済管理ＤＢ２０４に保持されている当日の決済処理を行う場合、支払者端末／携帯電話端末３０からの入金要求に基づき、引き落とし可能な金融機関（４０、５０）の口座に関する情報を支払者端末／携帯電話端末３０に送信する。そして、支払者端末／携帯電話端末３０からの引き落とす金融機関（４０、５０）の指定口座等の情報の返答を受け、振込依頼先金融６０へ振り込み処理を行う。振込み処理が完了すると、銀行口座残高管理サーバ２０は、支払先端末装置１０及び支払者端末／携帯電話端末３０に対して手続きが完了した旨の通知が送られる。
【００３８】
一方、指定日付の決済処理については、指定日付の前日（引き落とし前日）までにユーザから指定された指定口座の残高を確認し、不足分があれば他の金融機関（４０、５０）の口座から不足分を移管する。全ての口座の残高を合計しても不足金が支払金額に満たない場合は、支払者端末／携帯電話端末３０に対して、その旨を通知する。仮に、引き落とし日になっても指定口座の残高が支払金額に満たない場合、銀行口座残高管理サーバ２０は、支払者端末／携帯電話端末３０に他の金融機関からの振り込み処理、又は現金による入金を依頼する。
【００３９】
次に、図３を用いて本実施形態に係る貯金口座自動引落システムの動作について説明する。
【００４０】
支払先端末装置１０が設置された店舗での買い物等の支払いを精算するとき、支払者が支払い方法として口座引き落としを希望した場合、店員等は、支払先端末装置１０から貯金口座自動引落システムのユーザに発行されるカードの利用番号（以下、カード番号とする）及び支払金額を入力し、銀行口座残高管理サーバ２０へ送信する（ステップＳ３０１）。
【００４１】
銀行口座残高管理サーバ２０は、支払先端末装置１０からカード番号及び支払内容情報を受信すると、カード番号に基づきユーザが予め登録した金融機関（４０、５０）の口座を検索し、該口座の残高照会がインターネットバンキングを利用して行われる（ステップＳ３０２）。各口座の残高照会により各口座の残高、又は各口座の残高の合計が支払金額に満たない場合（ステップＳ３０３／ＮＯ）、銀行口座残高管理サーバ２０は、支払先端末装置１０に対し現金による支払を実施する旨の通知（図８に示す）を行う（ステップＳ３０４）。
【００４２】
一方、各口座の残高の合計が支払金額を満たす場合（ステップＳ３０２／ＹＥＳ）、銀行口座残高管理サーバ２０は、支払先端末装置１０及び支払者端末／携帯電話端末３０に対し、ユーザ認証情報等（図９に示す）の入力を要求する（ステップＳ３０５）。支払先端末装置１０及び支払者端末／携帯電話端末３０から一定時間内にユーザ認証情報の入力がない場合、支払先端末装置１０からの取り消し要求があるまで、ユーザ認証情報の入力を繰り返し要求する（ステップＳ３０５）。
【００４３】
支払先端末装置１０及び支払者端末／携帯電話端末３０を通じてユーザ認証情報が入力されると（ステップＳ３０５）、銀行口座残高管理サーバ２０は、支払先端末装置１０から入力されたユーザ認証情報と、支払端末／携帯電話端末３０から入力されたユーザ認証情報と、利用者管理ＤＢ２０２に保持されるユーザ認証情報とを比較する（ステップＳ３０６）。支払先端末装置１０、支払端末／携帯電話端末３０、及び利用者管理ＤＢ２０２からのユーザ認証情報の全てが一致しなかった場合（ステップＳ３０６／ＮＯ）、銀行口座残高管理サーバ２０は、支払先端末装置１０に対して現金による支払いを要求する旨の通知（図１０に示す）を行う（ステップＳ３０７）。一方、支払先端末装置１０、支払端末／携帯電話端末３０、及び利用者管理ＤＢ２０２からのユーザ認証情報の全てが一致した場合（ステップＳ３０６／ＹＥＳ）、引き落とし処理が可能である旨を支払先端末装置１０に対して通知（図１１に示す）する（ステップＳ３０８）。
【００４４】
引き落とし処理が可能である旨の通知を受けた支払先端末装置１０は、支払金額の振込依頼先金融６０の口座番号を銀行口座残高管理サーバ２０に対して通知する（ステップＳ３０９）。支払先端末装置１０より振込依頼先金融６０の口座番号の通知を受けた銀行口座残高管理サーバ２０は、ステップ３０５において残高を確認した金融機関（４０、５０）の指定口座から振込依頼先金融６０の所定の口座への振込み処理を依頼する（ステップＳ３１０）。
【００４５】
銀行口座残高管理サーバ２０から振込み処理の依頼を受けた金融機関（４０、５０）は、振込依頼先金融６０の所定の口座への振込み処理を行い、振込み処理が完了次第、銀行口座残高管理サーバ２０に対して振込み処理が完了した旨の通知を行う（ステップＳ３１１）。振込み処理が完了した旨の通知を受けた銀行口座残高管理サーバ２０は、支払先端末装置１０及び支払者端末／携帯電話端末３０に対して振込み処理が終了した旨の通知（図１２に示す）する（ステップＳ３１２）。
【００４６】
次に、図４を用い、クレジットカードの利用又はローンの支払いにおいて残高の不足が発生した場合における振込み処理の依頼動作について説明する。
【００４７】
クレジットカードの利用又はローンの支払いに関する通知を受けたユーザは、支払者端末／携帯電話端末３０より、銀行口座残高管理サーバ２０にアクセスし、クレジットカードの利用に係る支払い又はローンの支払い処理を要求する（ステップＳ４０１）。支払い処理の要求を受けた銀行口座残高管理サーバ２０は、支払者を認証するカードのカード番号、前記支払者を認証するユーザ認証情報、及び振り込み先の口座に振り込むための必要な情報である支払内容情報の入力を支払端末／携帯電話端末３０に対して要求する（ステップＳ４０２）。上記情報の入力を要求された支払者端末／携帯電話端末３０は、銀行口座残高管理サーバ２０にクレジットカード会社等からの通知に記載されている請求金額、ユーザ認証情報等（図１３に示す）を送信する（ステップＳ４０３）。
【００４８】
支払端末／携帯電話端末３０から請求金額、ユーザ認証情報等を受信した銀行口座残高管理サーバ２０は、支払端末／携帯電話端末３０から受信したユーザ認証情報と利用者管理ＤＢ２０２に保持されているユーザ認証情報を比較する（ステップＳ４０４）。支払端末／携帯電話端末３０から受信したユーザ認証情報と利用者管理ＤＢ２０２に保持されているユーザ認証情報とが一致しなかった場合（ステップＳ４０４／ＮＯ）、ユーザの認証ができない旨を支払端末／携帯電話端末３０へ通知する（ステップＳ４０５）。一方、支払端末／携帯電話端末３０から受信したユーザ認証情報と利用者管理ＤＢ３０に保持されているユーザ認証情報とが一致した場合（ステップＳ４０４／ＹＥＳ）、銀行口座残高管理サーバ２０は、ユーザ認証情報に基づきカード所有者が登録した金融機関（４０、５０）に開設された口座を検索し、該口座の残高照会がインターネットバンキングを利用して行われる（ステップＳ４０６）。
【００４９】
ある口座の残高が支払金額を満たす場合（ステップＳ４０６／ＹＥＳ）、銀行口座残高管理サーバ２０は、支払者端末／携帯電話端末３０に対し、口座に支払金額を満たす残高がある旨を通知（図１４に示す）する（ステップＳ４０７）。口座の残高が支払金額を満たす旨の通知を受けた支払者端末／携帯電話端末３０は、銀行口座残高管理サーバ２０に支払いを要求する（ステップＳ４１２）。支払いの要求を受けた銀行口座残高管理サーバ２０は、振込みを金融機関（４０、５０）に依頼する（ステップＳ４１３）。振込みの依頼を受けた金融機関（４０、５０）は、振込みを実行し、振込みが完了した旨の通知を銀行口座残高管理サーバ２０に対して行う（ステップＳ４１４）。金融機関（４０、５０）から振込みが完了した旨の通知を受けた銀行口座残高管理サーバ２０は、支払者端末／携帯電話端末３０及び支払先端末装置１０に支払いが完了した旨の通知（図１７に示す）を行う（ステップＳ４１５）。
【００５０】
一方、上記口座の残高が支払金額に満たない場合（ステップＳ４０６／ＮＯ）、銀行口座残高管理サーバ２０は、ユーザ認証情報に基づきユーザが登録した他の金融機関（４０、５０）に開設された口座を検索し、該口座の残高照会がインターネットバンキングを利用して行われる（ステップＳ４０８）。
【００５１】
該口座の残高又は検索した各口座の残高の合計が支払金額を満たす場合（ステップＳ４０９／ＹＥＳ）、銀行口座残高管理サーバ２０は、支払者端末／携帯電話端末３０に対し、口座に支払金額を満たす残高がある旨を通知（図１６に示す）する（ステップＳ４１１）。口座に支払金額を満たす残高がある旨の通知を受けた支払者端末／携帯電話端末３０は、銀行口座残高管理サーバ２０に支払いを要求する（ステップＳ４１２）。支払いの要求を受けた銀行口座残高管理サーバ２０は、支払金額の振込みを金融機関（４０、５０）に依頼する（ステップＳ４１３）。支払金額の振込みの依頼を受けた金融機関（４０、５０）は、振込みを実行し、振込みが完了した旨の通知を銀行口座残高管理サーバ２０に対して行う（ステップＳ４１４）。金融機関（４０、５０）から振込みが完了した旨の通知を受けた銀行口座残高管理サーバ２０は、支払者端末／携帯電話端末３０に支払いが完了した旨の通知を行う（ステップＳ４１５）。
【００５２】
なお、上記動作（ステップＳ４０８から４０９）を繰り返し、カード所有者が利用者管理ＤＢ２０２に登録した全ての金融機関（４０、５０）に開設した口座を検索したのにも係らず、各口座の残高又は検索した各口座の残高の合計が支払金額に満たなかった場合は、図１５に示すように支払端末／携帯電話端末３０に現金での支払いを要求する（ステップＳ４１０）。
【図面の簡単な説明】
【００５３】
【図１】本実施形態に係る貯金口座自動引落システムの構成を示すブロック図である。
【図２】銀行口座残高管理サーバの構成を示すブロック図である。
【図３】貯金口座自動引落システムの動作を示すフローチャートである。
【図４】貯金口座自動引落システムの動作を示すフローチャートである。
【図５】利用者管理ＤＢの構成を示す図である。
【図６】金融機関管理ＤＢの構成を示す図である。
【図７】決済情報管理ＤＢの構成を示す図である。
【図８】現金による支払を要求する通知例を示す図である。
【図９】支払者端末／携帯電話端末への口座振替確認の通知例を示す図である。
【図１０】現金による支払を要求する通知例を示す図である。
【図１１】支払者端末／携帯電話端末への口座引落確認の通知例を示す図である。
【図１２】支払者端末／携帯電話端末への口座引落結果確認の通知例を示す図である。
【図１３】支払者端末／携帯電話端末へのクレジット支払登録の通知例を示す図である。
【図１４】支払者端末／携帯電話端末へのクレジット引落確認の通知例を示す図である。
【図１５】支払者端末／携帯電話端末へのクレジット引落確認の通知例を示す図である。
【図１６】支払者端末／携帯電話端末へのクレジット支払登録の通知例を示す図である。
【図１７】支払者端末／携帯電話端末及び支払先端末装置へのクレジット引落結果の通知例を示す図である。
【図１８】支払者端末／携帯電話端末への口座情報設定を要求する通知例を示す図である。
【符号の説明】
【００５４】
１０    支払先端末装置
２０    銀行口座残高管理サーバ
３０    支払者端末／携帯電話端末
４０、５０    金融機関
６０    振込依頼先金融
１００    インターネット
２０２    利用者管理ＤＢ
２０３    金融機関管理ＤＢ
２０４    決済管理ＤＢ
【図１】
2006113816.tif 000003
【図２】
2006113816.tif 000004
【図３】
2006113816.tif 000005
【図４】
2006113816.tif 000006
【図５】
2006113816.tif 000007
【図６】
2006113816.tif 000008
【図７】
2006113816.tif 000009
【図８】
2006113816.tif 000010
【図９】
2006113816.tif 000011
【図１０】
2006113816.tif 000012
【図１１】
2006113816.tif 000013
【図１２】
2006113816.tif 000014
【図１３】
2006113816.tif 000015
【図１４】
2006113816.tif 000016
【図１５】
2006113816.tif 000017
【図１６】
2006113816.tif 000018
【図１７】
2006113816.tif 000019
【図１８】
2006113816.tif 000020